(57)【特許請求の範囲】
【請求項１】
プールの全域又はその一部に配置されるプール床の昇降装置であって、プール床に浮力を与えて水面に浮上させる浮力手段と、プール底に並設され、それぞれが共通のモータを駆動源として同期して回転駆動される複数の回転駆動軸と、各回転駆動軸に適当間隔で固着されたスプロケットにそれぞれ掛けられ、各一端がプール床に連結されるローラチェーンとよりなるプール床の昇降装置において、前記ローラチェーンの延長上に固着される調整ボルトがプール床を構成するフレームに通され、ナットで止着されてフレームに固定されることを特徴とするプール床の昇降装置。
【発明の詳細な説明】
【技術分野】
【０００１】
本発明は、プールの昇降可能に設置されるプール床の昇降装置に関する。
【背景技術】
【０００２】
この種のプール床の昇降装置としては、プールサイド下のピット内の上下に配設されるプーリ又はスプロケットと、上下のプーリ又はスプロケットに掛け渡され、プール床に連結されるワイヤー又はチェーン等の無端状の索条と、モータを駆動源として回転駆動され、索条を循環駆動する駆動プーリ又はスプロケットよりなるものが多いが、プール底に適当間隔で取付けた複数のジャッキによりプール床を支持し、ジャッキの進退によりプール床を昇降させるようにしたもの、プール床に浮力体を取付けて浮上させ、プール床の複数か所に取付けたワイヤーをウィンチで巻き取ることにより、プール床を浮力に抗して水面下に降下させることでプール床の水深調節を行うようにしたもの（特許文献１）などが知られる。
【先行技術文献】
【特許文献】
【０００３】
【特許文献１】実願平１−１４１１１０号（実開平３−８０８５３号）のマイクロフィルム
【発明の概要】
【発明が解決しようとする課題】
【０００４】
プール床の昇降装置は、その多くが前述するようにプールサイドのピット内に配設され、プール床もプールサイドのピットに接近して配置される。プール床をピットより引き離すと、プール床とプール床の昇降装置との連結部分が長くなり、好ましくないためである。
【０００５】
プール床をジャッキで支持したり、特許文献１に示されるようにプール床に浮力を持たせて下方よりワイヤーで牽引するものでは、プール床をプール全域のうちの一部に設置することが可能であるが、前者のジャッキを使用するものは、構造が複雑となってコストアップを招きがちである。また後者のワイヤーを使用するものは、ワイヤーが切れ易くて寿命が短くなりがちであり、またワイヤーが延び易く、各ワイヤーの延びにバラつきが生じ易いため、プール床の水平度を維持して精度よく昇降させることが困難である。
【０００６】
本発明は、プール床をプールの一部に設置することが可能であり、しかも構造が比較的簡単で、プール床を水平度を保って精度よく昇降させることができるようなプール床の昇降装置を提供することを目的とする。
【課題を解決するための手段】
【０００７】
請求項１に係わる発明のプール床の昇降装置は、プールの全域又はその一部に配置されるプール床の昇降装置であって、プール床に浮力を与えて水面に浮上させる浮力手段と、プール底に並設され、それぞれが共通のモータを駆動源として同期して回転駆動される複数の回転駆動軸と、各回転駆動軸に適当間隔で固着されたスプロケットにそれぞれ掛けられ、各一端がプール床に連結されるローラチェーンとよりなるプール床の昇降装置において、前記ローラチェーンの延長上に固着される調整ボルトがプール床を構成するフレームに通され、ナットで止着されてフレームに固定されることを特徴とする。
【発明の効果】
【０００８】
本発明によると、モータを駆動源とし、各回転駆動軸を一方向に回転駆動させると、プール床に連結される各チェーンが下方に牽引され、プール床が浮力手段による浮力に抗して水面下に降下する一方、各回転駆動軸を逆方向に回転駆動させると、各ローラチェーンがスプロケットより引出されながら、プール床が浮力手段の作用により上昇する。プール床に連結されるローラチェーンは切れにくく、また伸びにくいため、プール床を水平度を維持して精度よく昇降させることができる。
【図面の簡単な説明】
【０００９】
【図１】プールの一部にプール床を配置した平面図。
【図２】プール床に連結されるチェーンの駆動機構を示す概略図。
【図３】断面Ｃ形レールの断面図。
【図４】ローラチェーンとフレームの連結部分を示す図。
【図５】プール床とその昇降装置の平面図。
【図６】プール床を構成する床材の断面図。
【発明を実施するための形態】
【００１０】
以下、本発明の実施形態のプール床の昇降装置について図面により説明する。
図１は、長方形のプール１を四分割して、その一域に長方形のプール床２を配設した例を示すもので、プール床下のプール底１ａ上には二本の回転駆動軸３が並設され（図３参照）、プール１よりプールサイドのピット内に突出する端部が減速機付きモータ４とチェーン伝動装置５を介して連結されることにより、各回転駆動軸３が共通のモータ４を駆動源として同期して回転駆動されるようになっている。
【００１１】
各回転駆動軸３には、適当間隔でスプロケット６が固着され、各スプロケット６には図２に示すようにローラチェーン７が掛けられ、各ローラチェーン７の一端はそれぞれプール床２に連結され、他端はプール底１ａに沿って延出し、プール底１ａに取付けた図３に示す断面Ｃ形のガイドレール９に案内されて進退するようになっている。
【００１２】
ローラチェーン上端には、図２のａ部の詳細図である図４に示すように、ローラチェーン７の延長上に調整ボルト１０が固着され、該調整ボルト１０は後述の床材と共にプール床２を構成するフレーム１１に通され、フレーム１１の上下で調整ボルト１０に止着されるナット１２でフレーム１１に固定されるようになっており、ナット１２の調整により調整ボルト１０を上下動させながらローラチェーン７の張りを調整できるようになっている。図２において、１４はチェーンガイドで、ローラチェーン７が弛んでもスプロケット６から外れないようにガイドするために設けられている。
【００１３】
プール床２は、図５に示すように格子状をなすフレーム１１と、該フレーム１１上に並設して固定される多数の床材１６よりなり、床材１６は、例えば図６に示すように硬質樹脂製で、内部を縦リブ１７で仕切って左右対称形をなす複数の密閉した空気室１８を形成してなるもので、空気室１８が床材１６の浮力手段を構成し、これによりプール床２を水面に浮上させるようになっている。そして両側の空気室１８は上部が外側にせり出し、床材下端にはフランジ１９が外向きに突出形成されている。フレーム１１への床材１６の固定は、フレーム１１にボルト２１を突設した止め金具２２のボルト２１を通してからフレーム上に置いた左右の床材１６を押し動かしてボルト２１を両側より挟み込み、ついでフレーム１１より突出するボルト２１に座金２３を差込み、ナット２４を捩じ込んで止着することにより行われる。プール床２には浮力手段である空気室１８に代え、或いは空気室１８と共に浮子を取り付け、必要な浮力を持たせるようにしてもよい。浮子を設ける場合、この浮子が浮力手段を構成するものとなる。
【００１４】
本実施形態のプール床昇降装置は以上のように構成され、モータの駆動により図２に示す回転駆動軸３を図２の反時計方向に回転させると、ローラチェーン７が下方に牽引されてスプロケット６からローラチェーン７がプール底上にガイドレール８に案内されて延出し、プール床２が浮力の作用に抗して水面下に降下する。モータ４の回転を停止させると、プール床２が水面下の一定深さに留まり、浮力を超える荷重が掛からない限り、その深さに維持される。この状態よりモータ４を逆回転させ、回転駆動軸３を図２の時計方向を回転させると、ローラチェーン７がスプロケット６によりガイドレール８より引出され、上方に引出されながらプール床２が浮力の作用により上昇する。
【００１５】
前記形態のプール床２はプール１の全域のうち、１／４の部分に配置されているが、プール１の半分の区域に配置することもできるし、プール１の中央部にのみ位置することもできる。またプール床２は、矩形に限らず、円形、楕円形、矩形以外の多角形その他任意の形状をなしていてもよい。プール１も同様である。
【符号の説明】
【００１６】
１・・プール
２・・プール床
３・・回転駆動軸
４・・減速機付きモータ
５・・チェーン伝動機構
６・・スプロケット
７・・ローラチェーン
９・・断面Ｃ形のガイドレール
１０、２１・・ボルト
１１・・フレーム
１２、２４・・ナット
１４・・チェーンガイド
１６・・床材
１７・・縦リブ
１８・・空気室
１９・・フランジ
２２・・止め金具
２３・・座金
【図１】
0005512211.tif 000002
【図２】
0005512211.tif 000003
【図３】
0005512211.tif 000004
【図４】
0005512211.tif 000005
【図５】
0005512211.tif 000006
【図６】
0005512211.tif 000007